(57)【特許請求の範囲】
【請求項１】
矩形状に形成した基板の両方の側端に、この基板と別体又は一体で成形した補助板を段落ちさせて一体的に連設し、上記補助板の各々の側端には、表面側に折り返したハゼ受片を形成し、
且つ、上記基板及び補助板の上端を表面側に折り曲げて上ハゼ部を形成すると共に、上記基板及び補助板の下端を裏面側に折り曲げて下ハゼ部を形成したセンター用金属屋根材であって、
上記ハゼ受片の各々の内側縁には、上記上ハゼ部から下ハゼ部に向かう方向と平行な方向に対して傾斜する傾斜縁部を形成し、各々の傾斜縁部が形成されたことにより平面視ハ字状を呈することを特徴とする円錐状屋根のセンター用金属屋根材。
【請求項２】
請求項１において、
上記ハゼ受片の下端には、切込部を各々形成したことを特徴とする円錐状屋根のセンター用金属屋根材。
【請求項３】
請求項１又は２において、
上記ハゼ受片の表面には、上記上ハゼ部から下ハゼ部に向けて１以上の水切り溝を形成したことを特徴とする円錐状屋根のセンター用金属屋根材。
【請求項４】
矩形状に形成した基板の両方の側端に、この基板と別体又は一体で成形した補助板を段落ちさせて一体的に連設し、上記補助板の各々の側端には、表面側に折り返したハゼ受片を形成し、且つ、上記基板及び補助板の上端を表面側に折り曲げて上ハゼ部を形成すると共に、上記基板及び補助板の下端を裏面側に折り曲げて下ハゼ部を形成し、上記ハゼ受片の各々の内側縁には、上記上ハゼ部から下ハゼ部に向かう方向と平行な方向に対して傾斜する傾斜縁部を形成し、各々の傾斜縁部が形成されたことにより平面視ハ字状を呈するセンター用金属屋根材と、
矩形状に形成した主屋根板の一方の側端に、この主屋根板と別体又は一体で成形した従屋根板を段落ちさせて一体的に連設し、上記主屋根板の他方の側端には、裏面側に折り返した係止ハゼ部を形成すると共に、上記従屋根板の側端には、表面側に折り返した上記係止ハゼ部を係止可能なハゼ受片を形成し、且つ、上記主屋根板及び従屋根板の上端を表面側に折り曲げて上ハゼ部を形成すると共に、上記主屋根板及び従屋根板の下端を裏面側に折り曲げて下ハゼ部を形成し、上記ハゼ受片の内側縁には、上記上ハゼ部から下ハゼ部に向かう方向と平行な方向に対して傾斜する傾斜縁部を形成し、各々の傾斜縁部が形成されたことにより平面視ハ字状を呈する金属屋根材とを用いてなり、
上記センター用金属屋根材を、円錐状屋根の任意に定めた中央位置の下地に固定し、この固定したセンター用金属屋根材のハゼ受片に、横方向に隣り合う上記金属屋根材の主屋根板の係止ハゼ部を係止したうえで、
この金属屋根材を、固定されたセンター用金属屋根材に対して、直線状或いは傾斜させた状態に位置付け、この金属屋根材を順次下地に固定してセンター用とすると共に、このセンター用金属屋根材及び金属屋根材の上ハゼ部には、上方向に隣り合う他のセンター用金属屋根材及び金属屋根材の下ハゼ部を係止して下地に固定してなる円錐状屋根のセンター用金属屋根材を用いた施工方法。
【請求項５】
矩形状に形成した基板の両方の側端を表面側に折り返してハゼ受片を形成し、この基板及びハゼ受片の上端を表面側に折り曲げて上ハゼ部を形成すると共に、上記基板及びハゼ受片の下端を裏面側に折り曲げて下ハゼ部を形成し、上記ハゼ受片の各々の内側縁には、上記上ハゼ部から下ハゼ部に向かう方向と平行な方向に対して傾斜する傾斜縁部を形成し、各々の傾斜縁部が形成されたことにより平面視ハ字状を呈するセンター用金属屋根材と、
矩形状に形成した主屋根板の一方の側端に、この主屋根板と別体又は一体で成形した従屋根板を段落ちさせて一体的に連設し、上記主屋根板の他方の側端には、裏面側に折り返した係止ハゼ部を形成すると共に、上記従屋根板の側端には、表面側に折り返した上記係止ハゼ部を係止可能なハゼ受片を形成し、且つ、上記主屋根板及び従屋根板の上端を表面側に折り曲げて上ハゼ部を形成すると共に、上記主屋根板及び従屋根板の下端を裏面側に折り曲げて下ハゼ部を形成し、上記ハゼ受片の内側縁には、上記上ハゼ部から下ハゼ部に向かう方向と平行な方向に対して傾斜する傾斜縁部を形成し、各々の傾斜縁部が形成されたことにより平面視ハ字状を呈する金属屋根材とを用いてなり、
上記センター用金属屋根材を、円錐状屋根の任意に定めた中央位置の下地に固定し、この固定したセンター用金属屋根材のハゼ受片に、横方向に隣り合う上記金属屋根材の主屋根板の係止ハゼ部を係止したうえで、
この金属屋根材を、固定されたセンター用金属屋根材に対して、直線状或いは傾斜させた状態に位置付け、この金属屋根材を順次下地に固定してセンター用とすると共に、このセンター用金属屋根材及び金属屋根材の上ハゼ部には、上方向に隣り合う他のセンター用金属屋根材及び金属屋根材の下ハゼ部を係止して下地に固定してなる円錐状屋根のセンター用金属屋根材を用いた施工方法。
【発明の詳細な説明】
【０００１】
【発明の属する技術分野】
本発明は、円錐状屋根の任意に定めた下地の中央位置に施工されるセンター用金属屋根材及びその施工方法に関する。
【０００２】
【従来の技術】
図１７は、従来の円錐状屋根の横葺き金属屋根材を示す平面図である。
【０００３】
この横葺き金属屋根材１００は、図１７に示すように、長尺矩形状の面板素材に絞り込み折曲部１０２を左右長手方向に所定の間隔を存して複数箇所に亘り形成し、かつその上下左右の側縁を折曲してハゼ継ぎ部１０３を形成するとともに、前記上下両側縁の一方を絞り込んで円弧状に形成した構造になっている。
【０００４】
すなわち、この横葺き金属屋根材１００は、絞り込み折曲部１０２の上下何れかの一方を絞り込んで矩形状の面板素材を円弧状に形成した構造にしている。
【０００５】
図１８は、従来の円錐状屋根の横葺き金属屋根材の施工方法を示す平面図である。
【０００６】
このような横葺き金属屋根材１００を施工するには、図１８に示すように、円錐状屋根の下地の軒先側一端から最初の横葺き金属屋根材１００を、既存の手段によって固着する。
【０００７】
ついで、他の横葺き金属屋根材１１０の一側に形成したハゼ継ぎ部１１１を、この横葺き金属屋根材１００の絞り込み折曲部１０２に係合させ、他の横葺き金属屋根材１１０を円錐状屋根の下地に同様に固着する。
【０００８】
以下、同様な方法で、次の横葺き金属屋根材１２０を、既に下地に固着した他の横葺き金属屋根材１１０に重合させて順次固着しながら、横方向に連結して行く。
【０００９】
一方、横葺き金属屋根材１００の上下方向の連結は、図１８に示すように、既に横方向に連結されている横葺き金属屋根材１００、１１０、１２０…の相互に密着させた上端のハゼ継ぎ部１０３ａの上に、別の横葺き金属屋根材１５０の下端のハゼ継ぎ部１０３ｂを位置させてから、その下端ハゼ継ぎ部１０３ｂを横葺き金属屋根材１００、１１０、１２０の上方から重合係止させて、別の横葺き金属屋根材１５０を下地に固着する。
【００１０】
そして、前述と同様な手順で一連の作業を繰り返して行い、これら横葺き金属屋根材１００、１１０、１２０、１５０を円錐状に連結し、円錐状屋根を葺いて行くのである。
【００１１】
図１９は、他の従来例を示す円錐状屋根の横葺き金属屋根材の平面図である。
【００１２】
この横葺き金属屋根材２００は、図１９に示すように、矩形状の金属板２１１の両側を裏面側に折り曲げてハゼ部２２１、２３１を形成すると共に、上端を表面側に折り曲げて上ハゼ部２４１を形成し、下端を裏面側に折り曲げて下ハゼ部２５１を形成した主屋根材２０１と、略直角３角形或いは台形状の金属板２１２の両端を上側に折り曲げてハゼ部２２２、２３２を形成すると共に、上端を表面側に折り曲げて上ハゼ部２４２を形成し、下端を裏面側に折り曲げて下ハゼ部２５２を形成した従屋根材２０２とを各々別途に形成した構造になっている。
【００１３】
図２０は、他の従来例の円錐状屋根の横葺き金属屋根材の施工方法を示す平面図である。
【００１４】
このような横葺き金属屋根材２００を施工するには、図２０に示すように、円錐状屋根の下地の軒先側一端から最初の横葺き金属屋根材２００の主屋根材２０１を、既存の手段によって固着する。
【００１５】
ついで、この主屋根材２０１の一側に形成したハゼ部２３１に、従屋根材２０２の一方のハゼ部２２２を係合し、この従屋根材２０２を円錐状屋根の下地に同様に固着する。
【００１６】
そして、この従屋根材２０２の他方に形成したハゼ部２３２に、他の横葺き金属屋根材３００の主屋根材に形成した一方のハゼ部３２１を係合させ、以下、同様な方法で、主屋根材２０１、従屋根材２０２…を交互に順次固着しながら、横方向に連結して行く。
【００１７】
一方、横葺き金属屋根材２００の上下方向の連結は、前述と同様な手順で一連の作業を繰り返して行い、これら横葺き金属屋根材２００、３００…を円錐状に連結し、円錐状屋根を葺いて行く。
【００１８】
【発明が解決しようとする課題】
しかしながら、従来の横葺き金属屋根材１００、２００には以下のような問題があった。
【００１９】
図１７、１８で示した横葺き金属屋根材１００では、一枚の長尺矩形状の面板素材の上下何れかの一方を絞り込んで円弧状に形成した構造にしている。
【００２０】
そのため、この横葺き金属屋根材１００では、他の横葺き金属屋根材１１０を横葺き施工する際に、その連結される角度が一定となり、作業現場の状態に応じて角度の調整ができない問題がある。
【００２１】
また、図１９、２０で示した横葺き金属屋根材２００では、主屋根材２０１と従屋根材２０２とが各々別途に形成された構造になっているので、上記問題に加えて、その部品点数が増え、複雑な構造になる問題がある。
【００２２】
さらに、両者の横葺き金属屋根材１００、２００では、横方向に連結されるハゼ部同士の係合部分から、雨水が浸入し易いという問題もあった。
【００２３】
本発明は、かかる課題を解決することを目的とするもので、円錐状屋根のセンター用金属屋根材を提供すると共に、このセンター用金属屋根材に対して横方向に葺いて施工する金属屋根材の連結する角度を作業現場の状態に応じて調整でき、しかも、連結部分からの雨水の浸入を防止できる簡易な構造の円錐状屋根のセンター用金属屋根材及びその施工方法を提供する。
【００２４】
【課題を解決するための手段】
上記目的を達成するため、
請求項１に係る円錐状屋根のセンター用金属屋根材は、矩形状に形成した基板の両方の側端に、この基板と別体又は一体で成形した補助板を段落ちさせて一体的に連設し、上記補助板の各々の側端には、表面側に折り返したハゼ受片を形成し、且つ、上記基板及び補助板の上端を表面側に折り曲げて上ハゼ部を形成すると共に、上記基板及び補助板の下端を裏面側に折り曲げて下ハゼ部を形成した横葺き金属屋根材であって、上記ハゼ受片の各々の内側縁には、上記上ハゼ部から下ハゼ部に向かう方向と平行な方向に対して傾斜する傾斜縁部を形成し、各々の傾斜縁部が形成されたことにより平面視ハ字状を呈することを特徴とする。
【００２５】
請求項１では、円錐状屋根のセンター用金属屋根材を提供すると共に、ハゼ受片の内側縁に傾斜縁部を形成しているので、この傾斜縁部の傾斜に至るまでは、固定されたセンター用金属屋根材に対して横葺き施工される金属屋根材を、略直線状態から傾斜縁部の傾斜状態に至るまで自在に変位させて係止できる。
【００２６】
また、基板と補助板とを連設した一体的な構造に形成しているので、部品点数を減少して簡易な構造できる。
【００２７】
（削除）
【００２８】
（削除）
【００２９】
（削除）
【００３０】
請求項２に係る円錐状屋根のセンター用金属屋根材は、請求項１において、上記ハゼ受片の下端には、切込部を各々形成したことを特徴とする。
【００３１】
請求項２では、ハゼ受片の下端に切込部を形成することによって、固定されたセンター用金属屋根材に対して横葺き施工される金属屋根材を下側からスライドさせながら容易に係止できる。
【００３２】
請求項３に係る円錐状屋根のセンター用金属屋根材は、請求項１又は２において、上記ハゼ受片の表面には、上記上ハゼ部から下ハゼ部に向けて１以上の水切り溝を形成したことを特徴とする。
【００３３】
請求項３では、センター用金属屋根材と、これに横葺き施工される金属屋根材との接合部分には、水切り溝を形成するので、たとえ接合部分から雨水が浸入しても、この水切り溝によって、雨水を下ハゼ部に向けて排水することができ、雨水が屋根の下地などに浸入することを防止できる。
【００３４】
請求項４に係る円錐状屋根のセンター用金属屋根材を用いた施工方法は、矩形状に形成した基板の両方の側端に、この基板と別体又は一体で成形した補助板を段落ちさせて一体的に連設し、上記補助板の各々の側端には、表面側に折り返したハゼ受片を形成し、且つ、上記基板及び補助板の上端を表面側に折り曲げて上ハゼ部を形成すると共に、上記基板及び補助板の下端を裏面側に折り曲げて下ハゼ部を形成し、上記ハゼ受片の各々の内側縁には、上記上ハゼ部から下ハゼ部に向かう方向と平行な方向に対して傾斜する傾斜縁部を形成し、各々の傾斜縁部が形成されたことにより平面視ハ字状を呈するセンター用金属屋根材と、矩形状に形成した主屋根板の一方の側端に、この主屋根板と別体又は一体で成形した従屋根板を段落ちさせて一体的に連設し、上記主屋根板の他方の側端には、裏面側に折り返した係止ハゼ部を形成すると共に、上記従屋根板の側端には、表面側に折り返した上記係止ハゼ部を係止可能なハゼ受片を形成し、且つ、上記主屋根板及び従屋根板の上端を表面側に折り曲げて上ハゼ部を形成すると共に、上記主屋根板及び従屋根板の下端を裏面側に折り曲げて下ハゼ部を形成し、上記ハゼ受片の内側縁には、上記上ハゼ部から下ハゼ部に向かう方向と平行な方向に対して傾斜する傾斜縁部を形成し、各々の傾斜縁部が形成されたことにより平面視ハ字状を呈する金属屋根材とを用いてなり、上記センター用金属屋根材を、円錐状屋根の任意に定めた中央位置の下地に固定し、この固定したセンター用金属屋根材のハゼ受片に、横方向に隣り合う上記金属屋根材の主屋根板の係止ハゼ部を係止したうえで、この金属屋根材を、固定されたセンター用金属屋根材に対して、直線状或いは傾斜させた状態に位置付け、この金属屋根材を順次下地に固定してセンター用とすると共に、このセンター用金属屋根材及び金属屋根材の上ハゼ部には、上方向に隣り合う他のセンター用金属屋根材及び金属屋根材の下ハゼ部を係止して下地に固定してなる。
【００３５】
請求項４では、ハゼ受片の内側縁に傾斜縁部を形成しているので、この傾斜縁部の傾斜に至るまでは、固定されたセンター用金属屋根材に対して横葺き施工される金属屋根材を、略直線状態から傾斜縁部の傾斜状態に至るまで自在に変位させて係止できる。
【００３６】
そのため、センター用金属屋根材に対して横方向に葺いて施工する金属屋根材の連結する角度を作業現場の状態に応じて調整できる。
【００３７】
請求項５に係る円錐状屋根のセンター用金属屋根材は、矩形状に形成した基板の両方の側端を表面側に折り返してハゼ受片を形成し、この基板及びハゼ受片の上端を表面側に折り曲げて上ハゼ部を形成すると共に、上記基板及びハゼ受片の下端を裏面側に折り曲げて下ハゼ部を形成し、上記ハゼ受片の各々の内側縁には、上記上ハゼ部から下ハゼ部に向かう方向と平行な方向に対して傾斜する傾斜縁部を形成し、各々の傾斜縁部が形成されたことにより平面視ハ字状を呈するセンター用金属屋根材と、矩形状に形成した主屋根板の一方の側端に、この主屋根板と別体又は一体で成形した従屋根板を段落ちさせて一体的に連設し、上記主屋根板の他方の側端には、裏面側に折り返した係止ハゼ部を形成すると共に、上記従屋根板の側端には、表面側に折り返した上記係止ハゼ部を係止可能なハゼ受片を形成し、且つ、上記主屋根板及び従屋根板の上端を表面側に折り曲げて上ハゼ部を形成すると共に、上記主屋根板及び従屋根板の下端を裏面側に折り曲げて下ハゼ部を形成し、上記ハゼ受片の内側縁には、上記上ハゼ部から下ハゼ部に向かう方向と平行な方向に対して傾斜する傾斜縁部を形成し、各々の傾斜縁部が形成されたことにより平面視ハ字状を呈する金属屋根材とを用いてなり、上記センター用金属屋根材を、円錐状屋根の任意に定めた中央位置の下地に固定し、この固定したセンター用金属屋根材のハゼ受片に、横方向に隣り合う上記金属屋根材の主屋根板の係止ハゼ部を係止したうえで、この金属屋根材を、固定されたセンター用金属屋根材に対して、直線状或いは傾斜させた状態に位置付け、この金属屋根材を順次下地に固定してセンター用とすると共に、このセンター用金属屋根材及び金属屋根材の上ハゼ部には、上方向に隣り合う他のセンター用金属屋根材及び金属屋根材の下ハゼ部を係止して下地に固定してなる。
【００３８】
請求項５では、ハゼ受片の内側縁に傾斜縁部を形成しているので、この傾斜縁部の傾斜に至るまでは、固定されたセンター用金属屋根材に対して横葺き施工される金属屋根材を、略直線状態から傾斜縁部の傾斜状態に至るまで自在に変位させて係止できる。
【００３９】
そのため、センター用金属屋根材に対して横方向に葺いて施工する金属屋根材の連結する角度を作業現場の状態に応じて調整できる。
【００４０】
【発明の実施の形態】
以下、本発明に係る円錐状屋根のセンター用金属屋根材及びその施工方法について、図面に基づき説明する。
【００４１】
図１は、本発明に係る円錐状屋根のセンター用金属屋根材の一例を示す斜視図である。
【００４２】
図中１は基板、２は補助板、３は上ハゼ部、４は下ハゼ部、６はハゼ受片、７は傾斜縁部を各々示している。
【００４３】
このセンター用金属屋根材Ａは、矩形状に形成した基板１の両方の側端に、この基板１と別体で成形した補助板２を段落ちさせて一体的に連設し、この補助板２の各々の側端には、表面側に折り返したハゼ受片６を形成している。
【００４４】
ここで、ハゼ受片６は、金属屋根材に形成した係止ハゼ部（不図示）と係止可能に形成している。
【００４５】
また、基板１及び補助板２の上端を表面側に折り曲げて上ハゼ部３を形成すると共に、基板１及び補助板２の下端を裏面側に折り曲げて下ハゼ部４を形成している。
【００４６】
このように形成したセンター用金属屋根材Ａのハゼ受片６の内側縁には、上ハゼ部３から下ハゼ部４に向かう方向と平行な方向に対して傾斜する傾斜縁部７を形成しており、各々の傾斜縁部７が形成されたことにより平面視ハ字状を呈している。
【００４７】
図２（ａ）、（ｂ）及び（ａ）’〜（ｄ）’並びに図３（ｅ）、（ｆ）は、図１で示したセンター用金属屋根材の製造例を示す概略説明図である。
【００４８】
なお、図２、図３は、図１の理解を補足するために、その製造手順の一例を概略的に説明した図に過ぎず、これ以外の製造手順によっても本発明に係るセンター用金属屋根材Ａを製造することは可能である。
【００４９】
また、図２の中央には基板１、その左右側には補助板２の各々の製造途上の概略平面図及び正面図を図示している。
【００５０】
先ず、基板１の製造例を説明すれば、メッキ鋼板、アルミ、ステンレス、銅、及びこれらの塗装鈑などの金属製板材１ａを矩形状に形成する〔図２（ａ）参照〕。
【００５１】
そして、その両側を裏面側に折り返して係止爪部１ｂ、１ｂを形成し、基板１を製造する〔図２（ｂ）参照〕。
【００５２】
次に、補助板２、２の製造例を説明するが、この補助板２、２は、互いに左右対称としたものである。
【００５３】
この補助板２は、メッキ鋼板、アルミ、ステンレス、銅、及びこれらの塗装鈑などの金属製板材２ａを矩形状に形成する〔図２（ａ）’参照〕。
【００５４】
次に、その下端隅部（本実施例では、左側又は右側下端）を、後述する下ハゼ部４を折り曲げた際に、これと畳重しないように、図のように切断して切込部６２を形成する〔図２（ｂ）’参照〕。
【００５５】
次に、この切込部６２を形成した金属製板材２ａの側端（本実施例では、左側端又は右側端）を表面側に折り返してハゼ受片６を形成するが、このハゼ受片６を形成する際、図中一点鎖線で示すように、金属製板材２ａの上側長辺から下側長辺に向けて任意の傾斜角度θをもたせた位置で折り返して形成する〔図２（ｃ）’参照〕。
【００５６】
このようにすれば、折り返されたハゼ受片６の内側縁には、後述する上ハゼ部３から下ハゼ部４に向かう方向と平行な方向に対して傾斜する傾斜縁部７を、各々の傾斜縁部７が形成されたことにより平面視ハ字状を呈するように容易に形成できる〔図２（ｄ）’参照〕。
【００５７】
もっとも、ハゼ受片６を形成する際、上側長辺から下側長辺に向けて直交する位置で一旦折り返して形成した後、このハゼ受片６の内側縁に傾斜縁部７を形成することも可能である。
【００５８】
そして、金属製板材２ａの他の側端（本実施例では、右側端又は左側端）を表面側に折り返して係止爪部２ｂを形成し、補助板２を製造する〔図２（ｄ）’参照〕。
【００５９】
前述のようにして、矩形状に形成した基板１と補助板２とは、各々別体で成形することができる。
【００６０】
次に、この矩形状に形成した基板１の係止片部１ｂと、補助板２の係止爪部２ｂとを係合させて両者を圧着すれば、矩形状に形成した基板１の両方の側端に、この基板１と別体で成形した補助板２を段落ちさせて一体的に連設できる〔図３（ｅ）参照〕。
【００６１】
最後に、一体的に連設された基板１及び補助板２、２の上端を表面側に折り曲げて上ハゼ部３を形成すると共に、その下端を裏面側に折り曲げて下ハゼ部４を形成すれば図１に示したセンター用金属屋根材Ａを形成できる〔図３（ｆ）参照〕。
【００６２】
なお、図３（ｆ）に示すように、補助板２のハゼ受片６の折り返し部分だけを圧着させて圧接面部６１を形成すれば、補助板２の強度を高めることができる。
【００６３】
図４は、本発明に係る円錐状屋根のセンター用金属屋根材の参考例を示す斜視図である。
【００６４】
図中１は基板、３は上ハゼ部、４は下ハゼ部、６はハゼ受片、７は傾斜縁部を各々示している。
【００６５】
このセンター用金属屋根材Ａは、矩形状に形成した基板１の両方の側端を表面側に折り返してハゼ受片６を形成し、この基板１及びハゼ受片６の上端を表面側に折り曲げて上ハゼ部３を形成すると共に、基板１及びハゼ受片６の下端を裏面側に折り曲げて下ハゼ部４を形成している。
【００６６】
ここで、ハゼ受片６は、金属屋根材に形成した係止ハゼ部（不図示）と係止可能に形成している。
【００６７】
このように形成したセンター用金属屋根材Ａのハゼ受片６の各々の内側縁には、上ハゼ部３から下ハゼ部４に向かう方向と平行な方向に対して傾斜する傾斜縁部７を形成しており、各々の傾斜縁部７が形成されたことにより平面視ハ字状を呈している。
【００６８】
図５（ａ）〜（ｄ）は、図４で示したセンター用金属屋根材の製造例を示す概略説明図である。
【００６９】
なお、図５は、図４の理解を補足するために、その製造手順の一例を概略的に説明した図に過ぎず、これ以外の製造手順によっても本発明に係るセンター用金属屋根材Ａを製造することは可能である。
【００７０】
先ず、メッキ鋼板、アルミ、ステンレス、銅、及びこれらの塗装鈑などの金属製板材１ａを矩形状に形成する〔図５（ａ）参照〕。
【００７１】
次に、その下端両隅部（本実施例では、左側及び右側下端）を、後述する下ハゼ部４を折り曲げた際に、これと畳重しないように、図のように切断して切込部６２を形成する〔図５（ｂ）参照〕。
【００７２】
次に、この切込部６２を形成した金属製板材１ａの両側端を表面側に折り返してハゼ受片６を形成するが、このハゼ受片６を形成する際、図中一点鎖線で示すように、金属製板材１ａの上側長辺から下側長辺に向けて各々任意の傾斜角度θをもたせた位置で折り返して形成する〔図５（ｃ）参照〕。
【００７３】
このようにすれば、折り返されたハゼ受片６の内側縁には、後述する上ハゼ部３から下ハゼ部４に向かう方向と平行な方向に対して傾斜する傾斜縁部７を、各々の傾斜縁部７が形成されたことにより平面視ハ字状を呈するように容易に形成できる〔図５（ｄ）参照〕。
【００７４】
もっとも、ハゼ受片６を形成する際、上側長辺から下側長辺に向けて直交する位置で一旦折り返して形成した後、このハゼ受片６の内側縁に傾斜縁部７を形成することも可能である。
【００７５】
最後に、基板１及びハゼ受片６の上端を表面側に折り曲げて上ハゼ部３を形成すると共に、その下端を裏面側に折り曲げて下ハゼ部４を形成すれば図４に示したセンター用金属屋根材Ａを形成できる〔図５（ｄ）参照〕。
【００７６】
なお、図３（ｆ）と同様に、ハゼ受片６の折り返し部分だけを圧着させて圧接面部を形成すれば、その強度を高めることができる。
【００７７】
上記のようにして形成したセンター用金属屋根材Ａには、この左右に金属屋根材Ａ’〔図６参照〕を横葺きしている。
【００７８】
図６は、センター用金属屋根材に横葺きする金属屋根材Ａ’の一例を示す斜視図である。
【００７９】
図中１’は主屋根板、２’は従屋根板、３’は上ハゼ部、４’は下ハゼ部、５’は係止ハゼ部、６’はハゼ受片、７’は傾斜縁部を各々示している。
【００８０】
この金属屋根材Ａ’は、矩形状に形成した主屋根板１’の一方の側端に、この主屋根板１’と別体で成形した従屋根板２’を段落ちさせて一体的に連設し、この主屋根板１’の他方の側端には、裏面側に折り返した係止ハゼ部５’を形成すると共に、従屋根板２’の側端には、表面側に折り返したハゼ受片６’を形成している。
【００８１】
ここで、ハゼ受片６’は、他の金属屋根材に形成した係止ハゼ部（不図示）と係止可能に形成している。
【００８２】
また、主屋根板１’及び従屋根板２’の上端を表面側に折り曲げて上ハゼ部３’を形成すると共に、主屋根板１’及び従屋根板２’の下端を裏面側に折り曲げて下ハゼ部４’を形成している。
【００８３】
このように形成した金属屋根材Ａ’のハゼ受片６’の内側縁には、上ハゼ部３’から下ハゼ部４’に向かう方向と平行な方向に対して傾斜する傾斜縁部７’を形成しており、各々の傾斜縁部７’が形成されたことにより平面視ハ字状を呈している。
【００８４】
図７（ａ）〜（ｄ）、（ａ）’〜（ｄ）’及び図８（ｅ）、（ｆ）は、図６で示した金属屋根材の製造例を示す概略説明図である。
【００８５】
なお、図７、図８は、図６の理解を補足するために、その製造手順の一例を概略的に説明した図に過ぎず、これ以外の製造手順によっても金属屋根材Ａを製造することは可能である。
【００８６】
また、図７の左側には主屋根板１’、右側には従屋根板２’の各々の製造途上の概略正面図及び平面図を併記している。
【００８７】
先ず、主屋根板１’の製造例を説明すれば、メッキ鋼板、アルミ、ステンレス、銅、及びこれらの塗装鈑などの金属製板材１ａ’を矩形状に形成する〔図７（ａ）参照〕。
【００８８】
次に、その上端隅部（本実施例では、左側上端）を、後述する上ハゼ部３’を折り曲げた際に、これと畳重しないように、図のように切断して切欠部５１’を形成する〔図７（ｂ）参照〕。
【００８９】
次に、この切欠部５１’の下方に張り出した片、即ち、金属製板材１ａ’の他方の側端（本実施例では、左側端）を裏面側に折り返して係止ハゼ部５’を形成する〔図７（ｃ）参照〕。
【００９０】
そして、金属製板材１ａ’の一方の側端（本実施例では、右側端）を裏面側に折り返して係止爪部１ｂ’を形成し、主屋根板１’を製造する〔図７（ｄ）参照〕。
【００９１】
一方、従屋根板２’の製造例を説明すれば、メッキ鋼板、アルミ、ステンレス、銅、及びこれらの塗装鈑などの金属製板材２ａ’を矩形状に形成する〔図７（ａ）’参照〕。
【００９２】
次に、その下端隅部（本実施例では、右側下端）を、後述する下ハゼ部４’を折り曲げた際に、これと畳重しないように、図のように切断して切込部６２’を形成する〔図７（ｂ）’参照〕。
【００９３】
次に、この切込部６２’の上方に張り出した片、即ち、金属製板材２ａ’の側端（本実施例では、右側端）を表面側に折り返してハゼ受片６’を形成する。
【００９４】
このハゼ受片６’を形成する際、図中一点鎖線で示すように、金属製板材２ａ’の上側長辺から下側長辺に向けて任意の傾斜角度θをもたせた位置で折り返して形成する〔図７（ｃ）’参照〕。
【００９５】
このようにすれば、折り返されたハゼ受片６’の内側縁には、後述する上ハゼ部３’から下ハゼ部４’に向かう方向と平行な方向に対して傾斜する傾斜縁部７’を、各々の傾斜縁部７’が形成されたことにより平面視ハ字状を呈するように容易に形成できる〔図７（ｄ）’参照〕。
【００９６】
もっとも、ハゼ受片６’を形成する際、上側長辺から下側長辺に向けて直交する位置で一旦折り返して形成した後、このハゼ受片６’の内側縁に傾斜縁部７’を形成することも可能である。
【００９７】
そして、金属製板材２ａ’の他の側端（本実施例では、左側端）を表面側に折り返して係止爪部２ｂ’を形成し、従屋根板２’を製造する〔図７（ｄ）’参照〕。
【００９８】
前述のようにして、矩形状に形成した主屋根板１’と従屋根板２’とは、各々別体で成形することができる。
【００９９】
次に、この矩形状に形成した主屋根板１’の係止片部１ｂ’と、従屋根板２’の係止爪部２ｂ’とを係合させて両者を圧着すれば、矩形状に形成した主屋根板１’の一方の側端に、この主屋根板１’と別体で成形した従屋根板２’を段落ちさせて一体的に連設できる〔図８（ｅ）参照〕。
【０１００】
最後に、一体的に連設された主屋根板１’及び従屋根板２’の上端を表面側に折り曲げて上ハゼ部３’を形成すると共に、その下端を裏面側に折り曲げて下ハゼ部４’を形成すれば図６に示した金属屋根材Ａ’を形成できる〔図８（ｆ）参照〕。
【０１０１】
なお、図８（ｅ）に示すように、従屋根板２’のハゼ受片６’の折り返し部分だけを圧着させて圧接面部６１’を形成すれば、従屋根板２’の強度を高めることができる。
【０１０２】
なお、本実施例では、右側に葺いて行く場合の金属屋根材Ａ’を例示したが、これを左右逆配置に形成すれば左側に葺いて行く金属屋根材を形成できる。
【０１０３】
図９は、図１の要部を拡大した概略平面図、図１０は、図９の要部端面図である。図９、図１０では、センター用金属屋根材Ａのハゼ受片６と、このセンター用金属屋根材Ａの左右に横葺きされる金属屋根材Ａ’の係止ハゼ部５’との係合関係を説明している。
【０１０４】
また、図９、１０では、センター用金属屋根材Ａの一端側を拡大して説明するが、他端側も同様である。
【０１０５】
このセンター用金属屋根材Ａにおけるハゼ受片６の傾斜縁部７は、その下端Ｐから段部Ｄに至るまでの距離Ｌを、金属屋根材Ａ’の係止ハゼ部５’の幅と略同一に設定している。
【０１０６】
そのため、金属屋根材Ａ’の係止ハゼ部５’を、センター用金属屋根材Ａの下側から矢印のようにスライドさせてハゼ受片６に係止すれば、図９（ａ）で示すように、センター用金属屋根材Ａと金属屋根材Ａ’とは、直線的に横葺きして連結することができる。
【０１０７】
また、金属屋根材Ａ’の係止ハゼ部５’を、ハゼ受片６に係止するに際して、係止ハゼ部５’には切欠部５１’を、ハゼ受片６には切込部６２を各々形成しているので、センター用金属屋根材Ａのハゼ受片６に対して、金属屋根材Ａ’の係止ハゼ部５’を下側からスライドさせながら容易に係止できる。
【０１０８】
このとき、ハゼ受片６の傾斜縁部７は、その上端Ｐ１から段部Ｄに至るまでの遊び距離Ｌ１を確保するように、傾斜縁部７の傾斜角度を設定している。
【０１０９】
そのため、この遊び距離Ｌ１の範囲内で、金属屋根材Ａ’を、図９（ａ）の状態から上ハゼ部３の方向に自在に変位することができ、その変位角度は、図９（ｂ）で示すように、ハゼ受片６の傾斜縁部７と、係止ハゼ部５’とが一致する角度、つまり、上記した傾斜縁部７の傾斜角度θまで金属屋根材Ａ’をセンター用金属屋根材Ａに対して自在に変位させて横葺きできる。
【０１１０】
なお、傾斜縁部７の傾斜する方向を図例とは逆の方向に形成しておけば、金属屋根材Ａ’を、図９（ａ）の状態から下ハゼ部４の方向に自在に変位することができる。
【０１１１】
図１１は、本発明に係る円錐状屋根のセンター用金属屋根材の他の実施例を示す斜視図である。ここで、図１と共通する部位には共通の番号を付し、その説明は省略する。
【０１１２】
このセンター用金属屋根材Ａでは、基板１と補助板２とを一体で成形したものを例示している。
【０１１３】
図１２（ａ）〜（ｄ）は、図１１で示したセンター用金属屋根材の製造例を示す概略説明図である。
【０１１４】
なお、図１２は、図１１の理解を補足するために、その製造手順の一例を概略的に説明した図に過ぎず、これ以外の製造手順によっても本発明に係るセンター用金属屋根材Ａを製造することは可能である。
【０１１５】
また、図１２では、その概略正面図及び平面図を併記している。
【０１１６】
先ず、矩形状のメッキ鋼板、アルミ、ステンレス、銅、及びこれらの塗装鈑などの金属製板材の両側を斜線で示すように傾斜させて切断する〔図１２（ａ）参照〕。
【０１１７】
この傾斜された切断縁は、最終的には傾斜縁部７として機能するのであるが、この傾斜させて切断する作業工程は、完成するまでに行えば足りる。
【０１１８】
また、傾斜された切断縁の下端には、上記の切込部６２も同時に切断して形成する。
【０１１９】
次に、この切断した側縁から所望の間隔をあけた内側適所を、図１２（ａ）の破線に示すように、裏面側に折り返して畳み、段部Ｄを形成する〔図１２（ｂ）参照〕。
【０１２０】
このようにすれば、矩形状に形成した基板１の一方の側端に、この基板１と一体で成形した補助板２を段落ちさせて一体的に連設することができる。
【０１２１】
次に、補助板２の側端を、図１２（ｂ）の想像線で示すように、表面側に降り返してハゼ受片６を形成する〔図１２（ｃ）参照〕。
【０１２２】
このとき、補助板２の側端から内側にかけて圧接面部６１を形成すれば、補助板２の強度を高めることができる。
【０１２３】
最後に、基板１及び補助板２の上端を表面側に折り曲げて上ハゼ部３を形成すると共に、基板１及び補助板２の下端を裏面側に折り曲げて下ハゼ部４を形成すれば、図１１で示すセンター用金属屋根材Ａを製造できる。
【０１２４】
このように製造したセンター用金属屋根材Ａのハゼ受片６の内側縁には、上ハゼ部３から下ハゼ部４に向かう方向と平行な方向に対して傾斜する傾斜縁部７を形成しており、各々の傾斜縁部７が形成されたことにより平面視ハ字状を呈している〔図１２（ｄ）参照〕。
【０１２５】
なお、図１２では、傾斜縁部７を切断によって形成する場合を示したが、このハゼ受片６を形成する際、図２（ｄ）’で示したように、金属製板材の上側長辺から下側長辺に向けて任意の傾斜角度をもたせた位置で折り返して形成することで、上ハゼ部３から下ハゼ部４に向かう方向と平行な方向に対して傾斜する傾斜縁部７を、各々の傾斜縁部７’が形成されたことにより平面視ハ字状を呈するように形成することもできる。
【０１２６】
図１３は、図１１の要部端面図である。図１３は、図１０と同様、補助板２のハゼ受片６と、金属屋根材Ａ’の係止ハゼ部５’との係合状態を示すものであるが、その作用、効果は図１０と同じであるため省略する。
【０１２７】
図１４は、本発明に係る円錐状屋根のセンター用金属屋根材の更に他の実施例を示す斜視図である。
【０１２８】
ここで、図１と共通する部位には共通の番号を付し、その説明は省略する。
【０１２９】
このセンター用金属屋根材Ａでは、補助板２のハゼ受片６、具体的には、ハゼ受片６の圧接面部６１の表面に、上ハゼ部３から下ハゼ部４に向けて１以上の水切り溝８を形成したことを特徴とする。
【０１３０】
図１５は、図１４の要部端面図である。
【０１３１】
このようなセンター用金属屋根材Ａによれば、金属屋根材Ａ’の係止ハゼ部５’を、センター用金属屋根材Ａの下側からスライドさせてハゼ受片６に係止すれば、図１５で示すように、金属屋根材Ａ’とセンター用金属屋根材Ａとの接合部分には、水切り溝８が介在するので、たとえ接合部分を介して雨水が浸入しても、この水切り溝８によって、雨水を下ハゼ部４に向けて排水することができ、雨水が屋根の下地などに浸入することを防止できる。
【０１３２】
図１６（ａ）〜（ｃ）は、本発明に係る円錐状屋根のセンター用金属屋根材の施工方法を示す概略図である。
【０１３３】
ここで、図１〜図１５と共通する部位には共通の番号を付し、その説明は省略する。上記のように構成したセンター用金属屋根材Ａを施工するには、図１６（ａ）で示すように、先ず、円錐状屋根の軒先に既存の水切り部材Ｍを釘等で固着した後、任意に定めた中央位置の下地の水切り部材Ｍに最初のセンター用金属屋根材Ａの下ハゼ部４を係止すると共に、センター用金属屋根材Ａの上ハゼ部３に既存の吊り子Ｔを係止し、この吊り子Ｔを円錐状屋根の下地に釘等で固着して、最初のセンター用金属屋根材Ａを固定する。
【０１３４】
次に、この固定したセンター用金属屋根材Ａの左右のハゼ受片６に、金属屋根材Ａ’の係止ハゼ部５’を、図９（ｂ）で示すように、センター用金属屋根材Ａの下側からスライドさせて係止する。
【０１３５】
そして、金属屋根材Ａ’の下ハゼ部４’を図１６（ａ）で示した軒先の水切り部材Ｍに合せて係止すれば、金属屋根材Ａ’は、軒先の水切り部材Ｍに合せて位置決めできる。
【０１３６】
このとき、金属屋根材Ａ’を軒先に合せて係止すれば、同時にセンター用金属屋根材Ａに対して、直線状或いは傾斜させた状態に位置付けられるが、ハゼ受片６の内側縁に傾斜縁部７を形成しているので、この傾斜縁部７の傾斜に至るまでは、金属屋根材Ａ’を、固定されたセンター用金属屋根材Ａに対して、図９（ａ）、（ｂ）で示したように、略直線状態から傾斜縁部７の傾斜状態に至るまで自在に変位させて係止できる。
【０１３７】
このように位置決めした金属屋根材Ａ’の上ハゼ部３’に、前記吊り子Ｔを係止し、この吊り子Ｔを円錐状屋根の下地に釘等で固着して、センター用金属屋根材Ａの両方に金属屋根材Ａ’を横葺きする。
【０１３８】
以下、図１６（ｃ）に示すように、既に下地に固着した金属屋根材Ａ’に重合させて他の金属屋根材Ａ”を順次固着しながら、横方向に葺いて行く。
【０１３９】
一方、センター用金属屋根材Ａの上下方向の連結は、図１６（ｃ）に示すように、既に横方向に連結されているセンター用金属屋根材Ａ及び金属屋根材Ａ’の連結された上ハゼ部３の上に、上方向に隣り合う別のセンター用金属屋根材ＡＡの下ハゼ部４を位置させてから、その下ハゼ部４をセンター用金属屋根材Ａ及び金属屋根材Ａ’の上方から重合係止させて、別のセンター用金属屋根材ＡＡを下地に固着する。
【０１４０】
そして、前述と同様な手順で一連の作業を繰り返して行い、これらセンター用金属屋根材Ａ、ＡＡ…を円錐状屋根の中央位置に連結すると共に、その左右両側に金属屋根材Ａ’Ａ”…を横葺きして円錐状屋根を葺くのである。
【０１４１】
【発明の効果】
本発明によれば、次のような効果がある。
【０１４２】
請求項１に係る円錐状屋根のセンター用金属屋根材によれば、ハゼ受片の内側縁に傾斜縁部を形成しているので、この傾斜縁部の傾斜に至るまでは、固定されたセンター用金属屋根材に対して横葺き施工される金属屋根材を、略直線状態から傾斜縁部の傾斜状態に至るまで自在に変位させて係止できる。
【０１４３】
また、基板と補助板とを連設した一体的な構造に形成しているので、部品点数を減少して簡易な構造できる。
【０１４４】
（削除）
【０１４５】
（削除）
【０１４６】
請求項２に係る円錐状屋根のセンター用金属屋根材によれば、ハゼ受片の下端に切込部を形成することによって、固定されたセンター用金属屋根材に対して横葺き施工される金属屋根材を下側からスライドさせながら容易に係止できる。
【０１４７】
請求項３に係る円錐状屋根のセンター用金属屋根材によれば、センター用金属屋根材と、これに横葺き施工される金属屋根材との接合部分には、水切り溝を形成するので、たとえ接合部分から雨水が浸入しても、この水切り溝によって、雨水を下ハゼ部に向けて排水することができ、雨水が屋根の下地などに浸入することを防止できる。
【０１４８】
請求項４に係る円錐状屋根のセンター用金属屋根材を用いた施工方法によれば、ハゼ受片の内側縁に傾斜縁部を形成しているので、この傾斜縁部の傾斜に至るまでは、固定されたセンター用金属屋根材に対して横葺き施工される金属屋根材を、略直線状態から傾斜縁部の傾斜状態に至るまで自在に変位させて係止できる。
【０１４９】
そのため、センター用金属屋根材に対して横方向に葺いて施工する金属屋根材の連結する角度を作業現場の状態に応じて調整できる。
【０１５０】
請求項５に係る円錐状屋根のセンター用金属屋根材を用いた施工方法によれば、ハゼ受片の内側縁に傾斜縁部を形成しているので、この傾斜縁部の傾斜に至るまでは、固定されたセンター用金属屋根材に対して横葺き施工される金属屋根材を、略直線状態から傾斜縁部の傾斜状態に至るまで自在に変位させて係止できる。
【０１５１】
そのため、センター用金属屋根材に対して横方向に葺いて施工する金属屋根材の連結する角度を作業現場の状態に応じて調整できる。
【図面の簡単な説明】
【図 １】本発明に係る円錐状屋根のセンター用金属屋根材の一例を示す斜視図
【図 ２】（ａ）、（ｂ）及び（ａ）’〜（ｄ）’は、図１で示したセンター用金属屋根材の製造例を示す概略説明図
【図 ３】（ｅ）、（ｆ）は、図１で示したセンター用金属屋根材の製造例を示す概略説明図
【図 ４】本発明に係る円錐状屋根のセンター用金属屋根材の参考例を示す斜視図
【図 ５】（ａ）〜（ｄ）は、図４で示したセンター用金属屋根材の製造例を示す概略説明図
【図 ６】センター用金属屋根材に横葺きする金属屋根材の一例を示す斜視図
【図 ７】（ａ）〜（ｄ）、（ａ）’〜（ｄ）’は、図６で示した金属屋根材の製造例を示す概略説明図
【図 ８】（ｅ）、（ｆ）は、図６で示した金属屋根材の製造例を示す概略説明図
【図 ９】図１の要部を拡大した概略平面図
【図１０】図９の要部端面図
【図１１】本発明に係る円錐状屋根のセンター用金属屋根材の他の実施例を示す斜視図
【図１２】（ａ）〜（ｄ）は、図１１で示したセンター用金属屋根材の製造例を示す概略説明図
【図１３】図１１の要部端面図
【図１４】本発明に係る円錐状屋根のセンター用金属屋根材の更に他の実施例を示す斜視図
【図１５】図１４の要部端面図
【図１６】（ａ）〜（ｃ）は、本発明に係る円錐状屋根のセンター用金属屋根材の施工方法を示す概略図
【図１７】従来の円錐状屋根のセンター用金属屋根材を示す平面図
【図１８】従来の円錐状屋根のセンター用金属屋根材の施工方法を示す平面図
【図１９】他の従来例を示す円錐状屋根のセンター用金属屋根材の平面図
【図２０】他の従来例の円錐状屋根のセンター用金属屋根材の施工方法を示す平面図
【符号の説明】
Ａ  センター用金属屋根材
Ａ’金属屋根材
１  基板
１’主屋根板
２  補助板
２’従屋根板
３  上ハゼ部
４  下ハゼ部
６  ハゼ受片
７  傾斜縁部
８  水切り溝
５１  切欠部
６２  切込部
【図１】
0004705721.tif 000002
【図２】
0004705721.tif 000003
【図３】
0004705721.tif 000004
【図４】
0004705721.tif 000005
【図５】
0004705721.tif 000006
【図６】
0004705721.tif 000007
【図７】
0004705721.tif 000008
【図８】
0004705721.tif 000009
【図９】
0004705721.tif 000010
【図１０】
0004705721.tif 000011
【図１１】
0004705721.tif 000012
【図１２】
0004705721.tif 000013
【図１３】
0004705721.tif 000014
【図１４】
0004705721.tif 000015
【図１５】
0004705721.tif 000016
【図１６】
0004705721.tif 000017
【図１７】
0004705721.tif 000018
【図１８】
0004705721.tif 000019
【図１９】
0004705721.tif 000020
【図２０】
0004705721.tif 000021